(57)【特許請求の範囲】
【請求項１】
ヒータユニットと、前記ヒータユニットの暖気を送り出すための送風機と、前記ヒータユニット及び前記送風機を覆うハウジングと、前記ハウジングは前記ヒータユニットの下流側に人体の局部を乾燥するための温風吹出口を有し、前記温風吹出口に設けた汚水の浸入を防止するためのシャッターと、前記シャッターの回動軸が、一方はハウジングの支持部に設けた孔に挿入し、もう一方はハウジングの支持部に設けたＣ型溝に挿入し、前記回動軸の軸方向におけるずれを規制する壁部を、前記Ｃ型溝を設けた前記支持部に形成したトイレ装置用の乾燥装置。
【請求項２】
前記シャッターが前記ハウジングの前記Ｃ型溝の角度と一致できないように規制するためのリブを前記シャッターに設けた請求項１に記載のトイレ装置用の乾燥装置。
【発明の詳細な説明】
【０００１】
【発明の属する技術分野】
本発明は、人体局部の洗浄及び乾燥を行うトイレ装置に内蔵される乾燥装置に関するものである。
【０００２】
【従来の技術】
従来この種のトイレ装置は、実開平５−３２４７２号公報に記載されているようなものが一般的であった。この装置は図１０、図１１、図１２に示されているように、図１０はトイレ装置及びトイレ装置に内蔵された乾燥装置の位置を示す外観図、図１１は乾燥装置の斜視図、図１２は乾燥装置の一部拡大斜視図である。
【０００３】
図１０から図１２において、トイレ装置は便器１上に載置固定され、本体２と、本体２と回動自在に枢着される便蓋３及び便座４とを有し、本体２内の略中央部は乾燥装置５が内装されている。乾燥装置５は上ハウジング７と下ハウジング８との嵌合によるハウジング６と、このハウジング６内にヒータユニット１０とヒータユニット１０の暖気を送り出すための送風機９を設け、ヒータユニット１０及び送風機９を覆うハウジング６は、ヒータユニット１０の下流側に人体局部へ暖気を導くための風路１１及び温風吹出口１２を構成し、温風吹出口１２には上ケース７の支持部１３に回動自在に枢着され汚水の浸入を防止するためのシャッター１５が設けられている。図１１は、温風吹出口１２、シャッター１５部分の斜視図を示したもので、図に示すようにシャッター１５の両端に回動軸１６を形成してこの回動軸１６を前記支持部１３に形成された貫通孔１４に回動自在に枢着されている。
【０００４】
次に動作について説明すると、乾燥機能が作動すると送風機９のファンが回転すると共に、ヒータユニット１０に通電され、ヒータユニット１０により加熱された暖気はハウジング６内の風路１１を通過して温風吹出口１２にあるシャッター１５を風圧により開いて人体の局部に到達させるようになっている。ここで、乾燥機能が作動していない時は、小便や洗浄水の飛散や掃除の際の水はね等の汚水が、ハウジング６内に浸入しないようにシャッター１５で温風吹出口１２をカバーするものである。
【０００５】
【発明が解決しようとする課題】
しかしながら、従来のトイレ装置では、上ハウジング７に形成した支持部１３の貫通孔１４にシャッター１５の回動軸１６を装着及び取り外しを行う時、シャッター１５を変形させて回動軸１６の両端間の距離を短くして支持部１３の貫通孔１４に入れる必要があった。このためシャッター１５の汚れ等の掃除に対してシャッター１５の装着及び取り外しが容易にできずまたシャッター１５を破損し易いという課題を有していた。
【０００６】
【課題を解決するための手段】
本発明は上記課題を解決するために、温風吹出口に設けた汚水の浸入を防止するためのシャッターの回動軸が、一方はハウジングの支持部に設けた孔に挿入し、もう一方はハウジングの支持部に設けたＣ型溝に挿入し、回動軸の軸方向におけるずれを規制する壁部を、前記Ｃ型溝を設けた支持部に形成したものである。
【０００７】
これによりシャッターをハウジングに容易装着及び取り外しをすることができシャッターや吹出口の掃除がし易くまたシャッターが破損してしまうこともない。
【０００８】
【発明の実施の形態】
本発明は、ヒータユニットと、前記ヒータユニットの暖気を送り出すための送風機と、前記ヒータユニット及び前記送風機を覆うハウジングと、前記ハウジングは前記ヒータユニットの下流側に人体の局部を乾燥するための温風吹出口を有し、前記温風吹出口に設けた汚水の浸入を防止するためのシャッターと、前記シャッターの回動軸の一方はハウジングに設けた支持部の孔に挿入し、もう一方は支持部に設けたＣ型溝に挿入し、前記回動軸の軸方向におけるずれを規制する壁部を、前記Ｃ型溝を設けた前記支持部に形成したものである。
【０００９】
そして、シャッターをハウジングに容易に装着することができ、お手入れ時等に乾燥機能が作動時のシャッターの開閉軌道と異なる場所にシャッターが回転した場合に、シャッターが横にずれて外れてしまうという恐れをなくすことができる。
【００１０】
また、シャッターに、前記シャッターがハウジングのＣ型溝の角度と一致できないようにかつ温風の風向きを規制するためのリブを設けたものである。
【００１１】
そして、シャッターが回転する任意の場所でシャッター自体がＣ型溝を超えて横にずれるという恐れをなくすと同時に、温風の風向きを規制することができる。
【００１２】
【実施例】
以下、本発明の実施例について図面を用いて説明する。なお、従来例と同一構成要素には、同一符号を付与して説明を省略する。
【００１３】
（実施例１）
図１は本発明の実施例１のトイレ装置用の乾燥装置の外観斜視図、図２は乾燥措置の一部拡大斜視図、図３はシャッター部分の断面図である。
【００１４】
温風吹出口１２に設けた汚水の浸入を防止するためのシャッター１５の回動軸１６が、一方は上ハウジング７の支持部１３に設けた孔１７に挿入し、もう一方はハウジング６の支持部１８に設けたＣ型溝１９に挿入するようにしたところである。
【００１５】
この構成において、ハウジング６の支持部１３、１８へのシャッター１５の装着は、支持部１３の孔１７にシャッター１５の回動軸１６を挿入してから、支持部１８のＣ型溝１９にシャッター１５の回動軸１６を溝方向に沿って挿入する。図３に示すように乾燥装置が作動していない時は、送風機９が停止しているのでシャッター１５はその自重によって温風吹出口１２を閉塞し、乾燥装置が作動し送風機９が駆動した時は、その風圧によってシャッター１５が回動軸１６を支点として図３の一点鎖線で示す位置に移動し温風吹出口１２を開口させて人体の局部に温風を供給する。
【００１６】
以上のようにシャッター１５をハウジング６の支持部１３，１８に容易に装着することができ、またシャッター１５変形させなくともよいので破損を防止することができる。
【００１７】
（実施例２）
図４、図５は本発明の実施例２のトイレ装置の乾燥装置の支持部１８部分の要部断面図である。
【００１８】
実施例１と異なる点は、図４においてハウジング６の支持部１８のＣ型溝１９の溝は、シャッター１５の回動軸１６を挿入するための入口部２０の方を奥部２１よりも大きくしたものである。これによってシャッター１５をハウジング６の支持部１３，１８により容易に装着することができる。
【００１９】
また図５においてシャッター１５の回動軸１６の直径に対して、入口部２０では大きく、奥部２１では小さくしたところである。これによって支持部１８のＣ型溝１９へのシャッター１５の回動軸１６の装着は、Ｃ型溝１９の入口部２０から奥部２１に向かうと徐々に硬くなり、最終的には圧入で奥部２１を通過させるようになる。従ってシャッター１５が容易に外れないようにすることができる。
【００２０】
（実施例３）
図６は本発明の実施例３のトイレ装置用の乾燥装置の要部断面図である。
【００２１】
実施例１，２と異なる点は、乾燥機能作動時のシャッター１５の開閉軌道と異なる場所にハウジング６の支持部１８のＣ型溝１９を設けたところである。この構成によれば、シャッター１５が通常の使用状態で動く回転範囲内でシャッター１５の角度が支持部１８のＣ型溝１９の方向と一致することがない。
【００２２】
従って、乾燥装置が作動時のシャッター１５が閉から開に至る任意の場所でシャッター１５自体がＣ型溝１９を超えてずれることがなく、シャッター１５がＣ型溝から外れてしまうという恐れをなくすことができる。
【００２３】
（実施例４）
図７は本発明の実施例４のトイレ装置用の乾燥装置の要部構造図である。
【００２４】
実施例１，２，３異なる点は、ハウジング６の支持部１８にＣ型溝１９とシャッター１５の回動軸１６の端部の軸方向におけるずれを規制する壁部２２を形成したところである。
【００２５】
なお実施例１，２，３と同一符号のものは同一構造を有し、説明は省略する。
【００２６】
この構成によって、シャッター１５が通常の使用状態で動く範囲外で回転して、シャッター１５がＣ型溝１９と一致した場合、シャッター１５がＣ型溝１９を越えて横にずれ、Ｃ型溝１９にシャッター１５が接触して固定される。
【００２７】
お手入れ時等に乾燥機能が作動時のシャッター１５の開閉軌道と異なる場所にシャッター１５が回転した場合に、シャッター１５が横にずれて外れてしまうという恐れをなくすことができる。
【００２８】
（実施例５）
図８は本発明の実施例５のトイレ装置用乾燥装置の要部断面図である。
【００２９】
実施例１，２，３，４と異なる点は、シャッター１５に支持部１８のＣ型溝１９の方向と一致する位置に横ずれ防止のストッパー２３を設けたところである。
【００３０】
なお実施例１と同一符号のものは同一構造を有し、説明は省略する。
【００３１】
この構成によって、お手入れ時等でシャッター１５が乾燥機能を通常の使用状態で動く範囲外で回転して、シャッター１５がＣ型溝１９と一致した場合、ストッパー２３をＣ型溝１９以外の部分に当てることによって、シャッター１５が横ずれしなくなる。このようにシャッター１５が回転する任意の場所でシャッター１５自体がＣ型溝１９を超えて横にずれるという恐れをなくすことができる。
【００３２】
（実施例６）
図９は本発明の実施例６のトイレ装置用の乾燥装置の要部断面図である。
【００３３】
実施例１，２，３，４，５と異なる点は、シャッター１５に、前記シャッター１５がＣ型溝１９の角度と一致できないようにかつ温風の風向きを規制するためのリブ２４を設けたところである。
【００３４】
なお実施例１と同一符号のものは同一構造を有し、説明は省略する。
【００３５】
この構成によって、シャッター１５が乾燥機能を通常の使用状態で動く範囲内でしか回転できないので、シャッター１５がＣ型溝１９と一致することがない。
【００３６】
従ってシャッター１５が回転する任意の場所でシャッター１５自体がＣ型溝１９をこえて横にずれるという恐れをなくすと同時に、温風の風向きを規制することができる。
【００３７】
【発明の効果】
以上のように本発明のトイレ装置用の乾燥装置によれば次の効果が得られる。
【００３８】
温風吹出口に設けた汚水の浸入を防止するためのシャッターは、前記シャッターの回動軸が、一方はハウジングに設けた孔に挿入し、もう一方はハウジングに設けたＣ型溝に挿入するようにしたので、シャッターをハウジングに容易に装着することができる。
【００３９】
また支持部のＣ型溝の溝は、シャッターの回動軸を挿入するための入口部の方を奥部よりも大きくしたものである。これによってシャッターを支持部により容易に装着することができる。
【００４０】
またシャッターの回動軸の直径に対して、Ｃ型溝の入口部では大きく、奥部では小さくしたところである。これによって支持部のＣ型溝へのシャッターの回動軸の装着は、Ｃ型溝の入口部から奥部に向かうと徐々に硬くなり、最終的には圧入で奥部を通過させるようになる。従ってシャッターが容易に外れないようにすることができる。
【００４１】
また支持部にＣ型溝とシャッターの回動軸の端部の軸方向におけるずれを規制する壁部を形成したによって、お手入れ時等に乾燥機能が作動時のシャッターの開閉軌道と異なる場所にシャッターが回転した場合に、シャッターが横にずれて外れてしまうという恐れをなくすことができる。
【００４２】
またシャッターに支持部Ｃ型溝の方向と一致する位置に横ずれ防止のストッパーを設けたによって、シャッターが回転する任意の場所でシャッター自体がＣ型溝をこえて横にずれるという恐れをなくすことができる。
【００４３】
またシャッターの回動軸に、前記シャッターがＣ型溝の角度と一致できないようにかつ温風の風向きを規制するためのリブを設けたによって、シャッターが回転する任意の場所でシャッター自体がＣ型溝をこえて横にずれるという恐れをなくすと同時に、温風の風向きを規制することができる。
【図面の簡単な説明】
【図１】  本発明実施例１のトイレ装置用の乾燥装置外観斜視図
【図２】  同乾燥装置の一部拡大斜視図
【図３】  同乾燥装置のシャッター部の断面図
【図４】  本発明実施例２のトイレ装置用の乾燥装置の一部要部断面図
【図５】  本発明実施例２のトイレ装置用の乾燥装置の一部要部断面図
【図６】  本発明実施例３のトイレ装置用の乾燥装置の一部要部断面図
【図７】  本発明実施例４のトイレ装置用の乾燥装置の一部要部斜視図
【図８】  本発明実施例５のトイレ装置用の乾燥装置の一部要部斜視図
【図９】  本発明実施例６のトイレ装置用の乾燥装置の一部要部斜視図
【図１０】  従来のトイレ装置の外観斜視図
【図１１】  同乾燥装置の外観斜視図
【図１２】  同乾燥装置の一部拡大斜視図
【符号の説明】
６  ハウジング
９  送風機
１０  ヒータユニット
１２  温風吹出口
１３、１８  支持部
１５  シャッター
１６  回動軸
１７  孔
１９  Ｃ型溝
２０  入口部
２１  奥部
２２  壁部
２３  ストッパー
２４  リブ
【図１】
0004379985.tif 000002
【図２】
0004379985.tif 000003
【図３】
0004379985.tif 000004
【図４】
0004379985.tif 000005
【図５】
0004379985.tif 000006
【図６】
0004379985.tif 000007
【図７】
0004379985.tif 000008
【図８】
0004379985.tif 000009
【図９】
0004379985.tif 000010
【図１０】
0004379985.tif 000011
【図１１】
0004379985.tif 000012
【図１２】
0004379985.tif 000013